(57)【要約】【課題】フィット感に優れ、工具を掴み易いと共に、そのスイッチ操作も行いやすい防振手袋の防振部分を形成する防振パーツおよびその製造方法を提供する。【解決手段】手袋本体７に、ループ部１１ａと鉤部１１ｂとで構成される面ファスナー１１を介して着脱自在に取付けられ、防振手袋の防振部分を形成する部材であって、第一メリヤス布１における掌部２の中央部分２ｂを除く部分である掌本体部２ａおよび指部３の関節部分３ｂの全てまたは一部を除く部分である指本体部３ａに、一層または複数層の防振材４を、ホットメルトシート５を介して熱融着した第二メリヤス布６で覆って可動自在に設け、ホットメルトシート５の溶融部分であるホットメルト層５ａの存在する部分に、面ファスナー１１のループ部または鉤部１１ｂを縫い付ける。【選択図】　　　図１
2004011063.tif 000002
【特許請求の範囲】
【請求項１】
手袋本体（７）に，ループ部（１１ａ）と鉤部（１１ｂ）とで構成される面ファスナー（１１）を介して着脱自在に取付けられ，防振手袋の防振部分を形成する防振パーツであって、
第一メリヤス布（１）における掌部（２）の中央部分（２ｂ）を除く部分である掌本体部（２ａ）および指部（３）の関節部分（３ｂ）の全てまたは一部を除く部分である指本体部（３ａ）に，一層または複数層の防振材（４）を，ホットメルトシート（５）を介して熱融着した第二メリヤス布（６）で覆って可動自在に設け、
前記ホットメルトシートの溶融部分であるホットメルト層（５ａ）の存在する部分に，前記面ファスナーのループ部または鉤部を縫い付けてなる防振手袋の防振パーツ。
【請求項２】
手袋本体（７）に着脱不能に縫い付けられ，防振手袋の防振部分を形成する防振パーツであって、
第一メリヤス布（１）における掌部（２）の中央部分（２ｂ）を除く部分である掌本体部（２ａ）および指部（３）の関節部分（３ｂ）の全てまたは一部を除く部分である指本体部（３ａ）に，一層または複数層の防振材（４）を，ホットメルトシート（５）を介して熱融着した第二メリヤス布（６）で覆って可動自在に設け、
前記ホットメルトシートの溶融部分であるホットメルト層（５ａ）の存在する部分が，前記手袋本体に縫い付けられるものである防振手袋の防振パーツ。
【請求項３】
手袋本体（７）に着脱自在または着脱不能に取付けられ，防振手袋の防振部分を形成する防振パーツを製造する方法であって、
第一メリヤス布（１）を，その第一メリヤス布（１）における掌部（２）の中央部分（２ｂ）を除く部分である掌本体部（２ａ）および指部（３）の関節部分（３ｂ）の全てまたは一部を除く部分である指本体部（３ａ）に対応する部分に凹部（８ａ）を形成した平型凹板（８）に載置し、
一層または複数層の防振材（４）を，第一メリヤス布（１）の掌本体部（２ａ）および指本体部（３ａ）の上から，平型凹板（８）の凹部（８ａ）に埋め込むようにして配置し、
第一メリヤス布の防振材に隣接する部分にホットメルトシート（５）を配置し、
第二メリヤス布（６）で第一メリヤス布（１）の掌部（２）と指部（３）を覆い、
第二メリヤス布を、熱プレスモールド（９）で平型凹板（８）上に押圧することによって，第一メリヤス布にホットメルトシートによって熱融着してなる防振手袋用防振パーツの製造方法。
【発明の詳細な説明】
【０００１】
【発明の属する技術分野】本発明は、チェーンソーや削岩機等の振動を伴う工具を使用する際に、使用者の手に伝わる振動を緩和することのできる作業用防振手袋の防振部材である防振パーツに関するものである。
【０００２】
【従来の技術】従来から、チェーンソーや削岩機等の振動を発する工具を手で掴んで使用する際に、当該振動が身体に与える弊害を防止する目的で、手に伝わる振動を緩和するための作業用の防振手袋が使用されている。この従来の防振手袋は、皮やゴム製の手袋本体７の内側全域にわたって防振材を一体的に設けて厚手に構成されている。
【０００３】
【発明が解決しようとする課題】しかし、この従来の防振手袋は、防振材が一体的に設けられ全体が厚手であるため、手の動きに対して屈曲し難いと共にフィット感に欠け、よって工具を掴み難いといった問題や、工具のスイッチ操作が行い難いといった問題がある。そのため、作業性の悪いものであった。
【０００４】
本発明は、こうした点に鑑み創案されたもので、フィット感に優れ、工具を掴み易いと共に、そのスイッチ操作も行いやすい防振手袋の防振部分を形成する防振パーツおよびその製造方法を提供することを課題とする。
【０００５】
【課題を解決するための手段】第一の発明に係る防振手袋用防振パーツ１０は、手袋本体７に、ループ部１１ａと鉤部１１ｂとで構成される面ファスナー１１を介して着脱自在に取付けられ、防振手袋の防振部分を形成する部材であって、第一メリヤス布１における掌部２の中央部分２ｂを除く部分である掌本体部２ａおよび指部３の関節部分３ｂの全てまたは一部を除く部分である指本体部３ａに、一層または複数層の防振材４を、ホットメルトシート５を介して熱融着した第二メリヤス布６で覆って可動自在に設け、前記ホットメルトシート５の溶融部分であるホットメルト層５ａの存在する部分に、前記面ファスナー１１のループ部または鉤部１１ｂを縫い付けてなる。
【０００６】
また、第二の発明に係る防振手袋用防振パーツ１０は、手袋本体７に着脱不能に縫い付けられ、防振手袋の防振部分を形成する部材であって、第一メリヤス布１における掌部２の中央部分２ｂを除く部分である掌本体部２ａおよび指部３の関節部分３ｂの全てまたは一部を除く部分である指本体部３ａに、一層または複数層の防振材４を、ホットメルトシート５を介して熱融着した第二メリヤス布６で覆って可動自在に設け、前記ホットメルトシート５の溶融部分であるホットメルト層５ａの存在する部分が、前記手袋本体７に縫い付けられるものである。
【０００７】
また、本発明に係る防振手袋用防振パーツの製造方法は、手袋本体７に着脱自在または着脱不能に取付けられ、防振手袋の防振部分を形成する防振パーツを製造する方法であって、第一メリヤス布１を、その第一メリヤス布１における掌部２の中央部分２ｂを除く部分である掌本体部２ａおよび指部３の関節部分３ｂの全てまたは一部を除く部分である指本体部３ａに対応する部分に凹部８ａを形成した平型凹板８に載置し、一層または複数層の防振材４を、第一メリヤス布１の掌本体部２ａおよび指本体部３ａの上から、平型凹板８の凹部８ａに埋め込むようにして配置し、第一メリヤス布１の防振材４に隣接する部分にホットメルトシート５を配置し、第二メリヤス布６で第一メリヤス布１の掌部２と指部３を覆い、第二メリヤス布６を、熱プレスモールド９で平型凹板８上に押圧することによって、第一メリヤス布１にホットメルトシート５によって熱融着してなる。
【０００８】
【発明の実施の形態】第一の発明に係る防振手袋用防振パーツ１０の実施形態を、図１に示す。これは、手袋本体７に、無数のループ片を持つループ部１１ａと、同じく無数の鉤片を持つ鉤部１１ｂとで構成される面ファスナー１１を介して着脱自在に取付けられ、作業用防振手袋の防振部分を形成する防振パーツである。
【０００９】
その構成は、第一メリヤス布１における掌部２の中央部分２ｂを除く部分である掌本体部２ａおよび指部３の関節部分３ｂの一部を除く部分である指本体部３ａに、軟質ゴム製である二層構造の防振材４を、ホットメルトシート５を介して熱融着した第二メリヤス布６で覆って可動自在に設けたものである。そして、ホットメルトシート５の溶融部分であるホットメルト層５ａの存在する部分に、面ファスナー１１のループ部１１ａ（または鉤部１１ｂ）を縫い付けている。なお、防振材４は、軟質ゴム製に限定されるものではなく、軟質樹脂等の振動を吸収できるあらゆる種類の軟質材で構成することができる。
【００１０】
第一メリヤス布１および第二メリヤス布６は、共に、軽くて柔軟性に富むメリヤスジャージ製とすることができ、また、その材質は綿やナイロン等のものを適宜選択することができる。また、この第一メリヤス布１および第二メリヤス布６は、防振材４を設けるに先だって、あるいは設けた後に、切断して手形状に形成することができる。
【００１１】
なお、第一メリヤス布１と第二メリヤス布６は、ホットメルトシート５に代えて接着剤を用い、スクリーン印刷の手法で接着層を形成して接着することもできるが、その場合、乾燥と接着のタイミングに手間が掛かる。従って、ホットメルトシート５を用いる方が能率面で優れている。
【００１２】
この防振パーツ１０は、手袋本体７に、例えば、次のようにして着脱自在に取付けることができる。まず、表皮と裏皮とに分割した状態にある皮製手袋本体７の当該表皮と裏皮を縫い合わせる際に、各指の先端部および手首部分に、面ファスナー１１のループ部１１ａ（または鉤部１１ｂ）を縫い付ける。
【００１３】
それと共に、防振パーツ１０の当該部分に対応する箇所のホットメルト層５ａが存在する部分に、面ファスナー１１の鉤部１１ｂ（またはループ部１１ａ）を縫い付ける。このホットメルト層５ａは、密度と剛性が高くいわゆる芯材としてのはたらきを持つので、鉤部１１ｂを強固に固定することができる。そして、最後に、面ファスナー１１の鉤部１１ｂとループ部１１ａとを係合させることによって、防振パーツ１０を手袋本体７に着脱自在に取付ける。面ファスナー１１の鉤部１１ｂは防振パーツ１０のホットメルト層５ａが存在する部分に強固に固定されているので、手袋本体７に縫い付けたループ部１１ａと強固に係合させることができる。
【００１４】
また、この防振パーツ１０は着脱自在に手袋本体７に取付けるので、防振パーツ１０のみを取替えることができ、経済的である。
【００１５】
なお、この防振パーツ１０は、手袋本体７の外側面に設けることができるし、また、内側面（表皮と裏皮との間部分）に設けることもできる。又、数個の分割片として、適用する事も可能である。
【００１６】
第二の発明に係る防振手袋用防振パーツ１０の実施形態を、図２に示す。これは、手袋本体７に着脱不能に縫い付けられ、防振手袋の防振部分を形成するものである。
【００１７】
その構成は、第一メリヤス布１における掌部２の中央部分２ｂを除く部分である掌本体部２ａおよび指部３の関節部分３ｂの一部を除く部分である指本体部３ａに、二層の防振材４を、ホットメルトシート５を介して熱融着した第二メリヤス布６で覆って可動自在に設けたものである。そして、ホットメルトシート５の溶融部分であるホットメルト層５ａの存在する部分を、手袋本体７に縫い付けるものとしている。符号１２は、縫い目を示す。
【００１８】
この防振パーツ１０は、そのホットメルト層５ａが存在する部分を手袋本体７に縫い付ける。従って、ホットメルト層５ａの幅は、５〜８ｍｍ程度に設定することが望ましい。このホットメルト層５ａは芯材としてのはたらきを持つので、メリヤス布端部の解れ止めにも成り、手袋本体７に強く縫い付けられ、縫い付け後は糸が解れて第一メリヤス布１と第二メリヤス布６が離脱してしまうといったことがない。また、防振パーツ１０は、ホットメルト層５ａが存在しないと柔らかすぎてその取り扱いが難しく、手袋本体７に縫い付ける作業が厄介であるが、ホットメルト層５ａが存在することにより、適度な剛性が得られ、手袋本体７への縫い付けを容易に行うことができる。更に、この防振パーツ１０は縫い付けの際親指部と他の掌部とかの様に、数個の分割片として縫い付ける事も可能である。
【００１９】
なお、手袋本体７の材質は、皮の他、織布、合成樹脂コーティング布等、種々のものを使用することができ、また、同一の手袋本体７においても、その部位によって材質を変えることができるし、３指型，２指型の手袋として適用する事も可能である。本発明に係る防振パーツ１０は、ホットメルト層５ａを有するので、こうした如何なる材質の手袋本体７にも強固に縫い付けることができる。
【００２０】
なお、この防振パーツ１０も、手袋本体７の外側面に縫い付けることができるし、また、内側面に縫い付けることもできる。
【００２１】
第一および第二の発明に係る防振手袋用防振パーツ１０は、共に、掌部２の掌本体部２ａおよび指本体部３ａにのみ防振材４を設けているので、この防振パーツ１０を取付けた防振手袋は、手の動きに応じて容易に屈曲し、よって工具を掴み易く、作業性が向上する。
【００２２】
また、防振材４は、第一メリヤス布１と第二メリヤス布６との間で可動自在に設けられているので、工具等を掴んだ際に、あるいは工具等を使用した際に、その圧力や振動で防振材４が適切な位置に移動することができる。従って、工具等を手に密着した状態で確実に把持することができ、作業性がさらに向上する。
【００２３】
本発明に係る防振パーツ１０は、図３に示すように製造することができる。
まず、第一メリヤス布１を、その第一メリヤス布１における掌部２の中央部分２ｂを除く部分である掌本体部２ａおよび指部３の関節部分３ｂの一部を除く部分である指本体部３ａに対応する部分に凹部８ａを形成した平型凹板８に載せる（図３（ａ））。
【００２４】
次に、二層構造の防振材４を、第一メリヤス布１の掌本体部２ａおよび指本体部３ａの上から、平型凹板８の凹部８ａに埋め込むようにして配置する（図３（ｂ）。続いて、第一メリヤス布１の防振材４に隣接する部分にホットメルトシート５を配置した後、第二メリヤス布６で第一メリヤス布１の掌部２と指部３を覆う（図３（ｃ））。
【００２５】
最後に、第二メリヤス布６を、熱プレスモールド９で平型凹板８上に押圧する（図３（ｄ））。これによって、第二メリヤス布６を、第一メリヤス布１にホットメルトシート５によって熱融着することができる。
【００２６】
この製造方法においては、平型凹板８上で、別体物である第一メリヤス布１と第二メリヤス布６とを熱融着するので、例えば、手袋状の布を手形状の凹板に嵌め込むといった面倒な作業を必要としない。従って、製造が容易であり、製造コストの削減を図ることができる。
【００２７】
また、この製造方法においては、平型凹板８に第一メリヤス布１を載置した状態で、その上から防振材４を平型凹板８の凹部８ａに埋め込むようにして配置するので、平型凹板８が位置決め部材のはたらきをし、防振材４を所定の位置に容易に配置することができる。
【００２８】
また、防振材４を配置した後、その上から第二メリヤス布６を被せて熱プレスモールド９で押圧すると、防振材４は凹部８ａに埋め込まれた状態となるので、全面を平坦にした状態で、第二メリヤス布６を平型凹板８上に強固に圧着することができる。従って、第二メリヤス布６を第一メリヤス布１に確実かつ容易に熱融着することができる。
【００２９】
なお、平型凹板８に代えて、凹部８ａのない平板を使用することも可能である。この場合、防振材４の配置と、第二メリヤス布６の熱融着の点において、熱プレスモールド９に凸部の加工を必要とする事と成り、平型凹板８を使用した場合より作業性が劣ることになる。
【００３０】
【発明の効果】請求項１の発明に係る防振手袋用防振パーツ１０は、掌部２の掌本体部２ａおよび指本体部３ａにのみ防振材４を設けているので、この防振パーツ１０を取付けた防振手袋は、手の動きに応じて容易に屈曲し、よって工具を掴み易く、作業性が向上する。また、防振材４は、第一メリヤス布１と第二メリヤス布６との間で可動自在に設けられているので、工具等を掴んだ際に、あるいは工具等を使用した際に、その圧力や振動で防振材４が適切な位置に移動することができる。従って、工具等を手に密着した状態で確実に把持することができ、作業性がさらに向上する。
【００３１】
さらに、ホットメルト層５ａが存在する部分に、面ファスナー１１の鉤部１１ｂまたはループ部１１ａを縫い付けるので、当該鉤部１１ｂ等を強固に取付けることができる。また、手袋本体７に着脱自在に取付けるので、取替えが容易で、経済的である。
【００３２】
請求項２に記載の発明に係る防振手袋用防振パーツ１０は、請求項１に記載の発明同様、工具を掴み易くするので作業性が向上し、防振材４が適切な位置に移動するので、工具等をより確実に把持することができ、作業性がさらに向上する。
【００３３】
また、ホットメルト層５ａが存在する部分を手袋本体７に縫い付けるので、強固に取付けることができ、第一メリヤス布１と第二メリヤス布６が離脱することもない。
【００３４】
請求項３に記載の発明に係る防振手袋用防振パーツの製造方法は、平型凹板８上で、別体物である第一メリヤス布１と第二メリヤス布６とを熱融着するので、手袋状の布を手形状の凹板に嵌め込むのと異なり、製造が容易であり、製造コストの削減を図ることができる。
【００３５】
また、この平型凹板８が防振材４の位置決めを行うはたらきをし、防振材４を所定の位置に容易に配置することができる。さらに、平型凹板８を使用することで、第二メリヤス布６を熱プレスモールド９で押圧する際、全面を平坦にした状態で第二メリヤス布６を平型凹板８上に強固に圧着することができる。よって、第二メリヤス布６を第一メリヤス布１に確実かつ容易に熱融着することができる。
【図面の簡単な説明】
【図１】本発明の防振手袋用防振パーツの実施形態を示すもので、（ａ）は手袋本体に取付ける前の状態を示し、（ｂ）は取付け後の状態を示す平面図である。
【図２】本発明の防振手袋用防振パーツの他の実施形態を示すもので、（ａ）は手袋本体に取付ける前の状態を示し、（ｂ）は取付け後の状態を示す平面図である。
【図３】本発明の防振手袋用防振パーツの製造方法の実施形態を示す断面図である。
【符号の説明】
１　　　第一メリヤス布
２　　　掌部
２ａ　　掌本体部
２ｂ　　中央部分
３　　　指部
３ａ　　指本体部
３ｂ　　関節部分
４　　　防振材
５　　　ホットメルトシート
５ａ　　ホットメルト層
６　　　第二メリヤス布
７　　　手袋本体
８　　　平型凹板
８ａ　　凹部
９　　　熱プレスモールド
１０　　防振パーツ
１１　　面ファスナー
１１ａ　ループ部
１１ｂ　鉤部
１２　　縫い目
【図１】
2004011063.tif 000003
【図２】
2004011063.tif 000004
【図３】
2004011063.tif 000005